(57)【要約】  【課題】米や野菜等を保存する低温貯蔵庫において、簡単、且つ安価で庫内の収納物を確実に且つ安心して保存できる低温貯蔵庫を提供する。  【解決手段】貯蔵室２と貯蔵室２の上面に配設する冷却ユニット７とからなり、冷却ユニット７は、断熱体９内部に冷却器１０、冷却器用送風機１１、ドレン皿１２、冷気吸込口１４、冷気吹出口１５を有する冷却室１３と、冷却室１３に隣接する機械室８と、から構成され、貯蔵室２には、冷却ユニット７の冷気吹出口用と冷気吸込口用の庫内ダクト６を備えたことにより、安価で簡単な構造で、しかも貯蔵室内のデッドスペースを増大させることなく、貯蔵室内にドレン水を滴下させないようにしたものである。【選択図】図１
2008089281.tif 000002
【特許請求の範囲】
【請求項１】
貯蔵室と貯蔵室の上面に配設する冷却ユニットとからなり、前記冷却ユニットは、断熱体内部に冷却器、冷却器用送風機、ドレン皿、冷気吸込口、冷気吹出口を有する冷却室と、前記冷却室に隣接する機械室と、から構成され、前記貯蔵室には、前記冷却ユニットの冷気吹出口用と冷気吸込口用の庫内ダクトを備えた低温貯蔵庫。
【請求項２】
前記庫内ダクトは、水平部と垂直部とからなるＬ字状であり、前記水平部を下方方向に突出させ貯水部を形成した請求項１に記載の低温貯蔵庫。
【請求項３】
前記貯水部は、前記冷気吐出口と前記冷気吸込口の両面に配備され、一定以上の水位を検知するセンサーを備えた請求項１または２に記載の低温貯蔵庫。
【請求項４】
前記庫内ダクトの両端には、上方方向に設けた折り返し部を備えた請求項１から３のいずれか一項に記載の低温貯蔵庫。
【発明の詳細な説明】
【技術分野】
【０００１】
本発明は、玄米や野菜等の食品を長期間保存しておくために用いる低温貯蔵庫に関するものである。
【背景技術】
【０００２】
従来、この種の低温貯蔵庫は貯蔵室の上面に冷却ユニットを搭載している（特許文献１参照）。
【０００３】
以下、図面を参考にしながら上記従来の冷蔵庫を説明する。図３は、従来の冷蔵庫の垂直断面図である。図３において、１０１は貯蔵室、１０２は貯蔵室１０１の上面に配設された冷却ユニットである。冷却ユニット１０２は断熱体１０５内部に冷却器１０６、冷却器用送風機１０７、冷気吸込口１０８、冷気吹出口１０９を有する冷却室１０３と、圧縮機１１０、放熱器１１１、放熱器用送風機１１２を有する機械室１０４（本例では開放型）から構成される。冷却ユニット１０２の冷却器１０６下部にはドレンパン１１４が配設され、さらにドレンパン１１４下部には庫内ダクト１１５を設け、冷却ユニット１０２の冷気吸込口１０８と、冷気吹出口１０９を区画している。また、貯蔵室１０１にも、冷却ユニット１０２の冷気吸込口１０８、冷気吹出口１０９と対応する貫通穴１１３を貯蔵室１０１の上面に１箇所設けている。
【０００４】
以上のように構成された冷蔵庫について、以下その動作について説明する。
【０００５】
貯蔵室１０１は、冷却ユニット１０２の冷却器１０６により冷却された冷気を冷気吹出口１０９から導入することで冷却される。その際、ドレンパン１１４下部の庫内ダクト１１５により「冷気吹出口１０９から流入した冷気が冷気吸込口１０８に戻り、貯蔵室１０１に冷気が流れ込まず貯蔵室１０１が冷えない。」というショートサーキット現象を防いでいる。また庫内ダクト１１５は冷気吹出口１０９側のみに配備するのが一般的である。
【０００６】
また、圧縮機１１０の運転時には冷却器１０６は着霜が発生する。圧縮機１１０が停止すると冷却器１０６の着霜が融解してドレンパン１１４に滴下する。滴下したドレン水はドレンホースを通じて庫外に排出される。また、この霜は定期的に冷却ユニット１０２の運転を強制停止させ、上記の如く、圧縮機１１０が停止するのでそれと同様に庫外に排出される。
【０００７】
一般に低温貯蔵庫は、冷却ユニットの運転により所定の温度に到達すると冷却ユニットの運転は停止する。この運転パターンを繰り返して庫内の温度を一定に保つようにしている。また、冷却ユニットの運転、停止は温度調節器の働きのみで行っており、冷却ユニット運転中に貯蔵室のドアを開けても、家庭用冷蔵庫のように、ドアスイッチが配備されていないため運転を継続する。
【特許文献１】実開昭６２−８０１８５号公報
【発明の開示】
【発明が解決しようとする課題】
【０００８】
しかしながら、上記従来の構成では、家庭用冷蔵庫のようにドアスイッチが配備されていないため、貯蔵室のドアが半ドア状態で放置されたりすると、冷却ユニットの運転が連続運転してしまう。この状態が継続すると冷却器に付着した霜が成長を続けドレンパンからはみ出すまでになる。やがて冷却ユニットの強制停止の運転動作に入ると成長した霜は融解してドレンパン内に滴下しきれず、庫内に落ちてしまい、庫内に収納している玄米に悪影響を及ぼしてしまう課題を有していた。また、極端に水分の高い品物や、ドアの開閉頻度が多い場合にも、同様の現象が発生しやすい課題を有していた。
【０００９】
本発明は、上記従来の課題を解決するもので、安価で簡単な構造で、しかも貯蔵室内のデッドスペースを増大させることなく、貯蔵室内にドレン水を滴下させないようにしたものである。また、ドレンパンの外に滴下したドレン水の量が一定以上に溜まると強制的に冷却ユニットの運転を停止させ、被害を未然に防ぐことをできるようにしたものである。
【課題を解決するための手段】
【００１０】
上記従来の課題を解決するために、本発明の低温貯蔵庫は、貯蔵室と貯蔵室の上面に配設する冷却ユニットとからなり、前記冷却ユニットは、断熱体内部に冷却器、冷却器用送風機、ドレン皿、冷気吸込口、冷気吹出口を有する冷却室と、前記冷却室に隣接する機械室と、から構成され、前記貯蔵室には、前記冷却ユニットの冷気吹出口用と冷気吸込口用の庫内ダクトを備えたものである。
【００１１】
これによって、安価で簡単な構造で、しかも貯蔵室内のデッドスペースを増大させることなく、貯蔵室内にドレン水を滴下させないようにしたものである。また、ドレンパンの外に滴下したドレン水の量が一定以上に溜まると強制的に冷却ユニットの運転を停止させ、被害を未然に防ぐことをできるようにしたものである。
【発明の効果】
【００１２】
本発明の低温貯蔵庫は、安価で簡単な構造で、しかも貯蔵室内のデッドスペースを増大させることなく、貯蔵室内にドレン水を滴下させないようにしたものである。また、ドレンパンの外に滴下したドレン水の量が一定以上に溜まると強制的に冷却ユニットの運転を停止させ、被害を未然に防ぐことをできるようにしたものである。
【発明を実施するための最良の形態】
【００１３】
請求項１に記載の発明は、貯蔵室と貯蔵室の上面に配設する冷却ユニットとからなり、前記冷却ユニットは、断熱体内部に冷却器、冷却器用送風機、ドレン皿、冷気吸込口、冷気吹出口を有する冷却室と、前記冷却室に隣接する機械室と、から構成され、前記貯蔵室には、前記冷却ユニットの冷気吹出口用と冷気吸込口用の庫内ダクトを備えたことにより、安価で簡単な構造で、しかも貯蔵室内のデッドスペースを増大させることなく、貯蔵室内にドレン水を滴下させないようにしたものである。
【００１４】
請求項２に記載の発明は、請求項１に記載の発明において、前記庫内ダクトは、水平部と垂直部とからなるＬ字状であり、前記水平部を下方方向に突出させ貯水部を形成したことにより、簡素な構造で貯水部を設けることができる。
【００１５】
請求項３に記載の発明は、請求項１または２に記載の発明において、前記貯水部は前記冷気吐出口と前記冷気吸込口の両面に配備され、一定以上の水位を検知するセンサーを備えたことにより、ドレンパンの外に滴下したドレン水の量が一定以上に溜まると強制的に冷却ユニットの運転を停止させ、被害を未然に防ぐことをできる。
【００１６】
請求項４に記載の発明は、請求項１から３のいずれか一項に記載の発明において、前記庫内ダクトの両端には、上方方向に設けた折り返し部を備えたことにより、貯水部に溜まったドレン水が、低温貯蔵庫の扉の開閉時等でオーバーフローした場合、折り返し部で堰き止めることができ、庫内の収納物に滴下することのないようにすることができる。
【００１７】
以下、本発明の実施の形態について、図面を参照しながら説明する。なお、従来と同一構成については、同一符合を付して詳細な説明を省略する。また、この実施の形態によってこの発明が限定されるものではない。
【００１８】
（実施の形態１）
図１は、本発明の実施の形態１における低温貯蔵庫のドア部を開放した正面図である。図２は、同実施の形態における低温貯蔵庫の庫内ダクトの要部拡大斜視図である。
【００１９】
図１、図２において、低温貯蔵庫１は、貯蔵室２と貯蔵室用断熱体３、貯蔵室内風路用レール４、スノコ５、庫内ダクト６が配備されている。また、貯蔵室２の上面に配備された冷却ユニット７には、機械室８と断熱体９の内部に冷却器１０、冷却器用送風機１１、ドレン皿１２を有する冷却室１３と、が配備されている。また、冷却室１３は冷気吸込口１４と、冷気吹出口１５とを庫内ダクト６で区画している。また、冷気１６は冷却室１３から冷気吹出口１５さらに庫内ダクト６を通して排出され、さらに、貯蔵室内風路用レール４近傍を通り、スノコ５の下面を通り、最終的に冷気吸込口１４に戻ってくる風路を示している。
【００２０】
また、庫内ダクト６は、水平部６Ｘと垂直部６ＹからなるＬ字状であり、水平部６Ｘには縁立て部６Ｚを備えており、庫内ダクト６は立体的な形状になっており、ドレン水１７がＡ、Ｂ方向に流れ落ちないようになっている。
【００２１】
なお、水平部６Ｘには下方方向に突出した貯水部６ａが設けられており、貯水部６ａの上端部位には水位センサー１８が配備されておりドレン水１７の水量を検知できるように構成されている。
【００２２】
以上のように構成された低温貯蔵庫について、以下その動作について説明する。
【００２３】
まず、貯蔵室２は、冷却ユニット７の冷却室１３内の冷却器１０により冷却された冷気１６を冷気吹出口１５から排出することで冷却される。その際、ドレン皿１２下部の庫内ダクト６により、「冷気吹出口１５から排出した冷気１６が冷気吸込口１４に戻り、貯蔵室２に冷気が流れ込まず貯蔵室２が冷えない。」というショートサーキット現象を防いでいる。
【００２４】
また、冷気吹出口１５から庫内ダクト６を通して排出された冷気１６は貯蔵室２の上面から貯蔵室内風路用レール４部位の空間とスノコ５の下を通り最終的に冷却室１５の冷気吸込口１４に戻るような風路を形成している。
【００２５】
また、庫内ダクト６には、貯水部６ａが設けられており、極端なドアの開閉頻度や湿度の高い品物を入れられた場合、また、半ドアのままで放置された場合、冷却器１０にて異常発生しドレン皿１２に滴下しきれなかったドレン水１７は、この貯水部６ａに導かれ庫内に直接滴下するのを防いでいる。また、この貯水部６ａの上端には水位センサー１８が配備されているため貯水部６ａのドレン水量が一定以上になると強制的に冷却ユニット７の運転を停止するようにしている。また、庫内ダクト６には、貯水部６ａに溜まったドレン水が、ドアの開閉等の振動で庫内に溢れ出すのを防ぐ折り返し部６ｂを配備している。
【００２６】
急な低温貯蔵庫の扉の開閉時等で貯水部のドレン水１７が庫内ダクト６の冷気吹出口１５および冷気吸込口１４方向に負圧で引っ張られたとしても、庫内ダクト６の両端の配備された一定幅の折り返し部６ｂによって、ドレン水１７は堰き止められるように構成されている。
【００２７】
以上のように、ドレン水１７が庫内ダクト６の貯水部６ａからオーバーフローした場合でも、折り返し部６ｂで堰き止めることができ、貯蔵室内の収納物に滴下することがないようにしたものである。
【００２８】
なお、折り返し部６ｂは、庫内ダクト６と一体成形されていても、また、庫内ダクト６と別部材でもどちらでもよい。
【００２９】
以上のように、本実施の形態においては、安価で簡単な構造で、しかも貯蔵室内のデッドスペースを増大させることなく、貯蔵室内にドレン水を滴下させないようにしたものである。
【００３０】
また、異常時においても確実に庫内の収納物を安心して保存することができる。
【産業上の利用可能性】
【００３１】
以上のように、本発明にかかる低温貯蔵庫は、安価で簡単な構造で、しかも貯蔵室内のデッドスペースを増大させることなく、貯蔵室内にドレン水を滴下させないようにしたものであるから業務用冷蔵庫やプレハブ冷蔵庫等の用途にも適用できる。
【図面の簡単な説明】
【００３２】
【図１】本発明の実施の形態１における低温貯蔵庫のドア部を開放した正面図
【図２】同実施の形態における低温貯蔵庫の庫内ダクトの要部拡大斜視図
【図３】従来の冷蔵庫の断面図
【符号の説明】
【００３３】
１    低温貯蔵庫
２    貯蔵室
３    貯蔵室用断熱体
４    風路用レール
５    スノコ
６    庫内ダクト
６ａ  貯水部
６ｂ  折り返し部
６Ｘ  水平部
６Ｙ  垂直部
７    冷却ユニット
８    機械室
９    断熱体
１０  冷却器
１１  冷却器用送風機
１２  ドレン皿
１３  冷却室
１４  冷気吸込口
１５  冷気吹出口
１６  冷気
１７  ドレン水
１８  水位センサー
【図１】
2008089281.tif 000003
【図２】
2008089281.tif 000004
【図３】
2008089281.tif 000005